(57)【要約】      （修正有）【課題】組み合わせ作業と分解作業を容易にすることにより、再加工をし易くした光コネクタアダプタを提供する。【解決手段】収容室１００と２つのストッパーブロックと位置決め溝１６とを有するハウジング１０と、収容室１００の前側から設置される前部スリーブホルダ２０と、収容室１００の後側から設置される後部スリーブホルダ２０ａと、前部スリーブホルダ２０及び後部スリーブホルダ２０ａの筒状体２１の内部に設置されるスリーブ３０と、ハウジング１０の上面１３に位置する横板５１と、該横板５１の両端から下方に向かって延設され該ハウジング１０の両側に掛合される２つの側板５２と、該２つの側板５２の後端に設けられ着脱可能にハウジング１０に取り付けられる位置決め部材５０と、を備える光コネクタアダプタ。【選択図】図４
0003153362.tif 000002
【実用新案登録請求の範囲】
【請求項１】
前端から後端まで貫通する収容室（１００）と、該収容室（１００）の内側壁から対向するように延設する２つのストッパーブロック（１５１）と、上面（１３）の両側にそれぞれ、該収容室（１００）と連通するように形成される位置決め溝（１６）とを有するハウジング（１０）と、
前記収容室（１００）の前側から設置されると共に、筒状体（２１）と、該筒状体（２１）における、前記ハウジング（１０）側の一端に設けられると共に、前記ストッパーブロック（１５１）に当接する固定板（２２）とを有する前部スリーブホルダ（２０）と、
前記収容室（１００）の後側から設置されると共に、筒状体（２１）と、該筒状体（２１）における、前記ハウジング（１０）側の一端に設けられると共に、前記ストッパーブロック（１５１）に当接する固定板（２２）とを有する後部スリーブホルダ（２０ａ）と、
前記前部スリーブホルダ（２０）及び後部スリーブホルダ（２０ａ）の筒状体（２１）の内部に設置されるスリーブ（３０）と、
前記ハウジング（１０）の上面（１３）に位置する横板（５１）と、該横板（５１）の両端から下方に向かって延設されると共に、該ハウジング（１０）の両側に掛合される２つの側板（５２）と、該２つの側板（５２）の後端にそれぞれ設けられると共に、夫々前記位置決め溝（１６）に挿設されて前部スリーブホルダ（２０）及び後部スリーブホルダ（２０ａ）における固定板（２２）に当接し、ストッパーブロック（１５１）と共にそれらの固定板（２２）を挟持する２つの係止プレート（５３）とを有する、着脱可能に前記ハウジング（１０）に取り付けられる位置決め部材（５０）と、を備えることを特徴とする光コネクタアダプタ。
【請求項２】
前記位置決め部材（５０）における２つの係止プレート（５３）は、前記側板（５２）の後端から互いに近づくように内側方向に延設されることを特徴とする請求項１に記載の光コネクタアダプタ。
【請求項３】
前記位置決め部材（５０）における２つの側板（５２）が弾性を有することを特徴とする請求項２に記載の光コネクタアダプタ。
【請求項４】
前記前部スリーブホルダ（２０）における固定板（２２）の両側（２２１）から第一係合部（２２２）と第二係合部（２２４）が横及び縦方向に向かって延設され、該第一係合部（２２２）と第二係合部（２２４）は、対応する前記ストッパーブロック（１５１）に当接するものであり、
前記後部スリーブホルダ（２０ａ）における固定板（２２）の両側から前部スリーブホルダ（２０）における第二係合部（２２４）と係合する第一係合部（２２２）と、前部スリーブホルダ（２０）における第一係合部（２２２）と係合する第二係合部（２２４）とが横及び縦方向に向かって延設され、該第一係合部（２２２）と第二係合部（２２４）は夫々、対応する前記ストッパーブロック（１５１）に当接するものであり、
前記位置決め部材（５０）における２つの係止プレート（５３）は、対応する第一係合部（２２２）と第二係合部（２２４）に当接し、該第一係合部（２２２）と第二係合部（２２４）をストッパーブロック（１５１）との間に挟持することを特徴とする請求項３に記載の光コネクタアダプタ。
【請求項５】
前記各第一係合部（２２２）に係合凹部（２２３）が形成され、
前記各第二係合部（２２４）は、該係合凹部（２２３）に係合可能なブロック体であり、
前記前部スリーブホルダ（２０）における係合凹部（２２３）は、後部スリーブホルダ（２０ａ）における第二係合部（２２４）に係合され、
前部スリーブホルダ（２０）における第二係合部（２２４）は、後部スリーブホルダ（２０ａ）における係合凹部（２２３）に係合されることを特徴とする請求項４に記載の光コネクタアダプタ。
【請求項６】
前記前部スリーブホルダ（２０）における固定板（２２）に、前方に向かって延出する、弾性を有する２つの爪部（２３）が設けられ、
前記後部スリーブホルダ（２０ａ）における固定板（２２）に、後方に向かって延出する、弾性を有する２つの爪部（２３）が設けられることを特徴とする請求項５に記載の光コネクタアダプタ。
【請求項７】
前記ハウジング（１０）の上面（１３）に、前記位置決め部材（５０）における横板（５１）を収容するための上凹部（１７）が凹設されることを特徴とする請求項６に記載の光コネクタアダプタ。
【請求項８】
前記ハウジング（１０）の両側面にそれぞれ、前記上凹部（１７）及び位置決め溝（１６）と連通し、前記位置決め部材（５０）における側板（５２）を収容するための側凹部（１８）が凹設されることを特徴とする請求項７に記載の光コネクタアダプタ。
【請求項９】
前記ハウジング（１０）の側面における各側凹部（１８）に少なくとも１つの係止凸部（１８１）が突設されると共に、前記位置決め部材（５０）における各側板（５２）に、該係止凸部（１８１）に係止するための係止穴（５２０）が形成されることを特徴とする請求項８に記載の光コネクタアダプタ。
【請求項１０】
前記ハウジング（１０）の両側面から外側に向かって固定用フランジ（１５）が延設され、前記位置決め部材（５０）における各側板（５２）に係止爪（５４）が形成されることを特徴とする請求項９に記載の光コネクタアダプタ。
【請求項１１】
前記前部スリーブホルダ（２０）と後部スリーブホルダ（２０ａ）とは、互いに同じ形状を呈することを特徴とする請求項１乃至１０のいずれか一項に記載の光コネクタアダプタ。
【請求項１２】
前記位置決め部材（５０）が金属からなることを特徴とする請求項１乃至１０のいずれか一項に記載の光コネクタアダプタ。
【請求項１３】
前記位置決め部材（５０）がセラミックからなることを特徴とする請求項１乃至１０のいずれか一項に記載の光コネクタアダプタ。
【請求項１４】
ＳＣ型光コネクタと接続可能であることを特徴とする請求項１乃至１０のいずれか一項に記載の光コネクタアダプタ。
【考案の詳細な説明】
【技術分野】
【０００１】
本考案は、光コネクタアダプタに関するものである。
【背景技術】
【０００２】
光コネクタアダプタは、光ファイバー同士を接続するためのものであり、光ファイバーを接続することにより、光の伝送距離を延ばすことができるので、様々な場所まで光ファイバーを引くことができる。
【０００３】
光コネクタアダプタについては、例えば、特許文献１に記載されており、該光コネクタアダプタは、ハウジングと、スリーブホルダと、スリーブと、係止ピンとを具備するものである。
【０００４】
また、前記ハウジングは中空体であり、内部空間と、該内部空間に形成される横板と、該横板に形成される第二筒状体とを有し、該ハウジングの上面に挿入溝が形成され、前記スリーブホルダは、該ハウジング内に設置され、該第二筒状体と組み合わされる第一筒状体と、外側に向かって延設され、横板に当接される係止突起とを有し、前記係止ピンはＵ字形を呈するものであり、２つの位置決め腕部を有し、該２つの位置決め腕部を該挿入溝に挿設し、係止突起を横板との間に挟持することにより、該スリーブホルダをハウジングに固定させるものである。
【０００５】
また、前部ハウジングと、後部ハウジングと、２つのスリーブホルダと、スリーブとを具備する、従来の他の光コネクタアダプタでは、該２つのスリーブホルダに夫々筒状体が設けられ、組み立てる際には、該２つのスリーブホルダを位置決めしてスリーブを筒状体内に固定させると共に、該前部ハウジングと後部ハウジングとを組み合わせて２つのスリーブホルダを固定させ、更に超音波溶接により前部ハウジングと後部ハウジングとを固定する。
【先行技術文献】
【特許文献】
【０００６】
【特許文献１】米国特許第６４３１６７２号
【考案の概要】
【考案が解決しようとする課題】
【０００７】
しかしながら、上記従来の光コネクタアダプタには、以下に示すような課題があった。すなわち、ハウジング内に横板と第二筒状体が設けられることから、ハウジングの構造が複雑化となり、射出成型によるハウジングの製造では、歩留まりが低くなるので、生産コストが上昇してしまうという課題があった。
【０００８】
Ｕ字形係止ピンは細くて小さいことから、精確にハウジングに挿設するには、いちいち目で見ながら作業を行わなければならないので、挿設作業に非常に時間がかかる。また、Ｕ字形係止ピンは、一旦挿入溝に挿設されると外しにくいので、組みあわせ作業中または使用中に壊れ易いスリーブが壊れてしまうと、作業員或いは使用者が光コネクタアダプタを分解し、部品を取り替えたり再加工(Ｒｅｗｏｒｋ)したりすることができなくなる。また、スリーブが壊れた場合に、無理やり再加工すると、ハウジングが破損するおそれがあるので、従来の光コネクタアダプタは再加工に不向きである。さらに、従来の光コネクタアダプタを取り付けプレートに固定するためには、別途固定部材を使用する必要があるので、非常に面倒であると共に、経済的ではないという課題があった。
【０００９】
また、上記従来の光コネクタアダプタは、超音波により前部ハウジングと後部ハウジングとを溶接する場合、電力がかかるだけでなく、加工時間も長くなるので、コストが増大し、その上、溶接された前部ハウジングと後部ハウジングとは分解することができないので、スリーブが壊れても再加工ができないという課題があった。
【００１０】
さらに、超音波により溶接された前部ハウジングと後部ハウジングは、所定の溶接位置からずれることが多く、このような問題が発生すると、その溶接部位にバリができてしまうという課題があった。
【００１１】
本考案は、上記従来の課題を解決するものであり、組立て及び分解作業を容易に行うことができるので、再加工に有利であると共に、超音波溶接などコストが高く、かつ、手間のかかる組立て手段を使用する必要がなく、生産性に優れ、従来の光コネクタアダプタの欠点を解決できる光コネクタアダプタを提供することを目的としている。
【課題を解決するための手段】
【００１２】
本願の考案は、前端から後端まで貫通する収容室（１００）と、該収容室（１００）の内側壁から対向するように延設する２つのストッパーブロック（１５１）と、上面（１３）の両側にそれぞれ、該収容室（１００）と連通するように形成される位置決め溝（１６）とを有するハウジング（１０）と、
前記収容室（１００）の前側から設置されると共に、筒状体（２１）と、該筒状体（２１）における、前記ハウジング（１０）側の一端に設けられると共に、前記ストッパーブロック（１５１）に当接する固定板（２２）とを有する前部スリーブホルダ（２０）と、
前記収容室（１００）の後側から設置されると共に、筒状体（２１）と、該筒状体（２１）における、前記ハウジング（１０）側の一端に設けられると共に、前記ストッパーブロック（１５１）に当接する固定板（２２）とを有する後部スリーブホルダ（２０ａ）と、
前記前部スリーブホルダ（２０）及び後部スリーブホルダ（２０ａ）の筒状体（２１）の内部に設置されるスリーブ（３０）と、
前記ハウジング（１０）の上面（１３）に位置する横板（５１）と、該横板（５１）の両端から下方に向かって延設されると共に、該ハウジング（１０）の両側に掛合される２つの側板（５２）と、該２つの側板（５２）の後端にそれぞれ設けられると共に、夫々前記位置決め溝（１６）に挿設されて前部スリーブホルダ（２０）及び後部スリーブホルダ（２０ａ）における固定板（２２）に当接し、ストッパーブロック（１５１）と共にそれらの固定板（２２）を挟持する２つの係止プレート（５３）とを有する、着脱可能に前記ハウジング（１０）に取り付けられる位置決め部材（５０）と、を備えることを特徴とする光コネクタアダプタ、を提供する。
【００１３】
本願の考案は、前記位置決め部材（５０）における２つの係止プレート（５３）は、前記側板（５２）の後端から互いに近づくように内側方向に延設されることを特徴とする光ファイバアダプタ、を提供する。
【００１４】
本願の考案は、前記位置決め部材（５０）における２つの側板（５２）が弾性を有することを特徴とする光ファイバアダプタ、を提供する。
【００１５】
本願の考案は、前記前部スリーブホルダ（２０）における固定板（２２）の両側（２２１）から第一係合部（２２２）と第二係合部（２２４）が横及び縦方向に向かって延設され、該第一係合部（２２２）と第二係合部（２２４）は、対応する前記ストッパーブロック（１５１）に当接するものであり、
前記後部スリーブホルダ（２０ａ）における固定板（２２）の両側から前部スリーブホルダ（２０）における第二係合部（２２４）と係合する第一係合部（２２２）と、前部スリーブホルダ（２０）における第一係合部（２２２）と係合する第二係合部（２２４）とが横及び縦方向に向かって延設され、該第一係合部（２２２）と第二係合部（２２４）は夫々、対応する前記ストッパーブロック（１５１）に当接するものであり、
前記位置決め部材（５０）における２つの係止プレート（５３）は、対応する第一係合部（２２２）と第二係合部（２２４）に当接し、該第一係合部（２２２）と第二係合部（２２４）をストッパーブロック（１５１）との間に挟持することを特徴とする光ファイバアダプタ、を提供する。
【００１６】
本願の考案は、前記各第一係合部（２２２）に係合凹部（２２３）が形成され、
前記各第二係合部（２２４）は、該係合凹部（２２３）に係合可能なブロック体であり、
前記前部スリーブホルダ（２０）における係合凹部（２２３）は、後部スリーブホルダ（２０ａ）における第二係合部（２２４）に係合され、
前部スリーブホルダ（２０）における第二係合部（２２４）は、後部スリーブホルダ（２０ａ）における係合凹部（２２３）に係合されることを特徴とする光ファイバアダプタ、を提供する。
【００１７】
本願の考案は、前記前部スリーブホルダ（２０）における固定板（２２）に、前方に向かって延出する、弾性を有する２つの爪部（２３）が設けられ、
前記後部スリーブホルダ（２０ａ）における固定板（２２）に、後方に向かって延出する、弾性を有する２つの爪部（２３）が設けられることを特徴とする光ファイバアダプタ、を提供する。
【００１８】
本願の考案は、前記ハウジング（１０）の上面（１３）に、前記位置決め部材（５０）における横板（５１）を収容するための上凹部（１７）が凹設されることを特徴とする光ファイバアダプタ、を提供する。
【００１９】
本願の考案は、前記ハウジング（１０）の両側面にそれぞれ、前記上凹部（１７）及び位置決め溝（１６）と連通し、前記位置決め部材（５０）における側板（５２）を収容するための側凹部（１８）が凹設されることを特徴とする光ファイバアダプタ。
【００２０】
本願の考案は、前記ハウジング（１０）の側面における各側凹部（１８）に少なくとも１つの係止凸部（１８１）が突設されると共に、前記位置決め部材（５０）における各側板（５２）に、該係止凸部（１８１）に係止するための係止穴（５２０）が形成されることを特徴とする光ファイバアダプタ、を提供する。
【００２１】
本願の考案は、前記ハウジング（１０）の両側面から外側に向かって固定用フランジ（１５）が延設され、前記位置決め部材（５０）における各側板（５２）に係止爪（５４）が形成されることを特徴とする光ファイバアダプタ、を提供する。
【００２２】
本願の考案は、前記前部スリーブホルダ（２０）と後部スリーブホルダ（２０ａ）とは、互いに同じ形状を呈することを特徴とする光ファイバアダプタ、を提供する。
【００２３】
本願の考案は、前記位置決め部材（５０）が金属からなることを特徴とする光ファイバアダプタ、を提供する。
【００２４】
本願の考案は、前記位置決め部材（５０）がセラミックからなることを特徴とする光ファイバアダプタ、を提供する。
【００２５】
本願の考案は、ＳＣ型光コネクタと接続可能であることを特徴とする光ファイバアダプタ、を提供する。
【考案の効果】
【００２６】
本考案は上記の課題を解決するものであり、前部スリーブホルダ及び後部スリーブホルダにおける固定板は、ハウジングにおけるストッパーブロックと、位置決め部材における係止プレートと、により挟持されて位置決めされるので、使用時に分解してしまうことはない。また、位置決め部材における横板と側板は、ハウジングの外部に設置され、大面積を有する板状の部材であることから、スリーブが壊れた時には、指または工具により側板を動かすだけで、容易に位置決め部材を外すことができるので、再加工し易く、更に、組立て作業では、超音波により溶接作業を行う必要がなく、電力を消費しないことから、手間がかからないので、生産性に優れている。
【図面の簡単な説明】
【００２７】
【図１】本考案に係る光コネクタアダプタ正面視の斜視図である。
【図２】本考案に係る光コネクタアダプタの背面視の斜視図である。
【図３】本考案に係る光コネクタアダプタの底面視斜視図である。
【図４】本考案に係る光コネクタアダプタの正面視分解斜視図である。
【図５】本考案に係る光コネクタアダプタの背面視分解斜視図である。
【図６】本考案に係る光コネクタアダプタの斜視断面図である。
【図７】本考案に係る光コネクタアダプタの平面断面図である。
【図８】本考案に係る光コネクタアダプタの正面断面図である。
【考案を実施するための形態】
【００２８】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００２９】
図１は本考案に係る光コネクタアダプタ正面視の斜視図であり、図２は本考案に係る光コネクタアダプタの背面視の斜視図であり、図３は本考案に係る光コネクタアダプタの底面視斜視図であり、図４は本考案に係る光コネクタアダプタの正面視分解斜視図であり、図５は本考案に係る光コネクタアダプタの背面視分解斜視図であり、図６は本考案に係る光コネクタアダプタの斜視断面図であり、図７は本考案に係る光コネクタアダプタの平面断面図であり、図８は本考案に係る光コネクタアダプタの正面断面図である。
【００３０】
図１乃至図４に示すように、本考案は、両端に夫々ＳＣ型コネクタを接続可能な光コネクタアダプタ(Ｏｐｔｉｃａｌ  Ｆｉｂｅｒ  Ａｄａｐｔｏｒ)であり、ハウジング（１０）と、前部スリーブホルダ（２０）と、後部スリーブホルダ（２０ａ）と、スリーブ（３０）と、位置決め部材（５０）とを備える構成である。
【００３１】
図５乃至図７に示すように、前記ハウジング（１０）に前端から後端まで貫通する収容室（１００）が形成され、該収容室（１００）の内側壁から対向するように２つのストッパーブロック（１５１）が延設されると共に、該ハウジング（１０）の上面（１３）に上凹部（１７）が凹設され、該上面（１３）における両側にそれぞれ、該収容室（１００）と連通する位置決め溝（１６）が形成され、また、該ハウジング（１０）の両側面（１４）に上凹部（１７）及び位置決め溝（１６）と連通する側凹部（１８）が凹設され、該側凹部（１８）に少なくとも１つの係止凸部（１８１）が突設され、更に、該ハウジング（１０）の両側面（１４）から外側に向かって固定用フランジ（１５）が延設されると共に、ハウジング（１０）の底面にＳＣ型光コネクタのシェルにおけるフールプルーフブロックと係合するための２つのフールプルーフ溝（１９）が形成される。
【００３２】
前記前部スリーブホルダ（２０）は、収容室（１００）の前側から設置されると共に、筒状体（２１）と、固定板（２２）とを有するものであり、該筒状体（２１）に貫通孔（２１０）が形成され、該固定板（２２）は、筒状体（２１）における、前記ハウジング（１０）側の一端に設けられて前記ストッパーブロック（１５１）に当接するものである。また、前記固定板（２２）の両側にそれぞれ、前方に向かって延出する、弾性を有する爪部（２３）が設けられ、該２つの爪部（２３）は、ＳＣ型光コネクタとの結合に用いるものである。更に、前記固定板（２２）の両側（２２１）から第一係合部（２２２）と第二係合部（２２４）が横及び縦方向に向かって延設され、該第一係合部（２２２）と第二係合部（２２４）は、対応する前記ストッパーブロック（１５１）に当接される。尚、本実施例においては、前記第一係合部（２２２）に係合凹部（２２３）が形成され、前記第二係合部（２２４）はブロック体である。
【００３３】
前記後部スリーブホルダ（２０ａ）は、前部スリーブホルダ（２０）と同様の形状を呈し、同一の金型で製作可能であり、収容室（１００）の後側から設置されると共に、筒状体（２１）と、固定板（２２）とを有するものであり、該筒状体（２１）に貫通孔（２１０）が形成され、該固定板（２２）は、筒状体（２１）における、前記ハウジング（１０）側の一端に設けられて前記ストッパーブロック（１５１）に当接するものである。また、前記固定板（２２）の両側にそれぞれ、後方に向かって延出する、弾性を有する爪部（２３）が設けられると共に、該固定板（２２）の両側から前記前部スリーブホルダ（２０）における第二係合部（２２４）と係合する第一係合部（２２２）と、前部スリーブホルダ（２０）における第一係合部（２２２）と係合する第二係合部（２２４）とが前側に向かって延設され、該第一係合部（２２２）と第二係合部（２２４）は共に、前記ストッパーブロック（１５１）に当接される。尚、本実施例においては、前記第一係合部（２２２）に前部スリーブホルダ（２０）におけるブロック体と係合する係合凹部（２２３）が形成されると共に、前記第二係合部（２２４）は、前部スリーブホルダ（２０）における係合凹部（２２３）と係合するブロック体である。
【００３４】
前記スリーブ（３０）は、セラミックからなる中空パイプ体であり、前部スリーブホルダ（２０）及び後部スリーブホルダ（２０ａ）の筒状体（２１）内に設置される。
【００３５】
前記位置決め部材（５０）は、金属からなり、着脱可能に前記ハウジング（１０）に取り付けられると共に、横板（５１）と、２つの側板（５２）と、２つの係止プレート（５３）とを有するものであり、そのうち横板（５１）は、該ハウジング（１０）の上面（１３）における上凹部（１７）に設置され、該２つの側板（５２）は弾性を有するものであり、該横板（５１）の両端から下方に向かって延設されると共に、該ハウジング（１０）の両側における側凹部（１８）に設置され、また、該各側板（５２）には、側凹部（１８）における係止凸部（１８１）に係止するための係止穴（５２０）が形成されると共に、該各側板（５２）に、光ファイバアダプタを取り付けプレートに取り付ける時に、該取り付けプレートを固定用フランジ（１５）との間に挟持するための係止爪（５４）が形成される。
【００３６】
前記２つの係止プレート（５３）は、前記２つの側板（５２）の後端から互いに近づくように内側方向に延設されると共に、夫々前記位置決め溝（１６）に挿設されて前部スリーブホルダ（２０）及び後部スリーブホルダ（２０ａ）における固定板（２２）に当接され、これにより、それらの固定板（２２）をストッパーブロック（１５１）と共に挟持する。即ち、前記各係止プレート（５３）を、対応する第一係合部（２２２）と第二係合部（２２４）に当接することにより、該第一係合部（２２２）と第二係合部（２２４）とを、対応するストッパーブロック（１５１）と共に挟持する。
【産業上の利用可能性】
【００３７】
本考案は上記の構成を有するので、前部スリーブホルダ及び後部スリーブホルダにおける固定板が、ハウジングにおけるストッパーブロックと、位置決め部材における係止プレートにより挟持されて位置決めされるので、使用する際に脱落することはない。また、位置決め部材における横板と側板大面積を有する板状の部材であり、ハウジングの外部に設置されることから、スリーブが壊れた時、指または工具を用いて側板を動かすことにより、容易に位置決め部材を外すことができるので、再加工がし易い。
【符号の説明】
【００３８】
１０  ハウジング
１３  上面
１４  側面
１５  固定用フランジ
１６  位置決め溝
１７  上凹部
１８  側凹部
１９  フールプルーフ溝
２０  前部スリーブホルダ
２０ａ  後部スリーブホルダ
２１  筒状体
２２  固定板
２３  爪部
３０  スリーブ
５０  位置決め部材
５１  横板
５２  側板
５３  係止プレート
５４  係止爪
１００  収容室
１５１  ストッパーブロック
１８１  係止凹部
２１０  貫通孔
２２１  側
２２２  第一係合部
２２３  係合凹部
２２４  第二係合部
５２０  係止穴
【図１】
0003153362.tif 000003
【図２】
0003153362.tif 000004
【図３】
0003153362.tif 000005
【図４】
0003153362.tif 000006
【図５】
0003153362.tif 000007
【図６】
0003153362.tif 000008
【図７】
0003153362.tif 000009
【図８】
0003153362.tif 000010